(57)【要約】      （修正有）【課題】表示部が無い生体情報検出センサを無線で更新する際、更新対象のセンサを視覚的に識別できるようにする。【解決手段】１以上の生体情報検出センサ２０と、情報処理装置３０とを備えた生体情報検出センサ無線システムにおいて、生体情報検出センサは、第１ソフトウェア２３ｂを記憶し、加速度センサ２４を備え、加速度センサ２４が検出した加速度が閾値を上回ったか否かのフラグ情報２３ｄとセンサ識別情報２３ａとを対応づけて情報処理装置に送信し、情報処理装置から、第１ソフトウェアを更新するための第２ソフトウェア３３ｂを受信し、それにより第１ソフトウェアを更新する。情報処理装置は、ディスプレイ３１を備え、生体情報検出センサからフラグ情報とセンサ識別情報とを受信し、フラグ情報に応じてディスプレイに表示してユーザに選択させ、選択されたセンサ識別情報の生体情報検出センサに対して第２ソフトウェアを送信する。【選択図】図２
2019016084.tif 000002
【特許請求の範囲】
【請求項１】
少なくとも１つの生体情報検出センサと、情報処理装置と、を備えた生体情報検出センサ無線システムにおいて、
前記生体情報検出センサは、
第１ソフトウェアが記憶された記憶部と、
加速度センサと、
前記加速度センサが検出した加速度が閾値を上回ったか否かを示すフラグ情報と自センサのセンサ識別情報とを対応づけて、前記情報処理装置に送信する第１送信部と、
前記情報処理装置が送信する、前記第１ソフトウェアをバージョンアップするための第２ソフトウェアを受信する第１受信部と、
前記第１受信部が受信した前記第２ソフトウェアに基づいて、前記第１ソフトウェアをバージョンアップする更新部と、を備え、
前記情報処理装置は、
前記生体情報検出センサが送信する前記フラグ情報と前記センサ識別情報とを受信する第２受信部と、
ディスプレイと、
前記第２受信部が受信した前記センサ識別情報を前記ディスプレイに表示する表示制御部と、
前記ディスプレイに表示された前記センサ識別情報を選択させる選択部と、
前記選択部によって選択されたセンサ識別情報を有する生体情報検出センサに対して前記第２ソフトウェアを送信する第２送信部と、を備え、
前記表示制御部は、前記第２受信部が受信した前記フラグ情報に応じて、前記ディスプレイの表示態様を制御する生体情報検出センサ無線システム。
【請求項２】
前記第２受信部が受信した前記フラグ情報が、加速度が閾値を上回ったことを示す場合、前記表示制御部は、所定の表示態様となるように前記ディスプレイの表示態様を制御する請求項１に記載の生体情報検出センサ無線システム。
【請求項３】
前記所定の表示態様とは、前記第２受信部が受信した前記フラグ情報が対応づけられたセンサ識別情報と他のセンサ識別情報とを識別できるように表示する態様である請求項２に記載の生体情報検出センサ無線システム。
【請求項４】
前記第１送信部は、さらに前記第１ソフトウェアのバージョン情報を対応づけて、前記情報処理装置に送信し、
前記第２受信部は、さらに前記生体情報検出センサが送信する前記バージョン情報を受信し、
前記表示制御部は、さらに前記第２受信部が受信した前記バージョン情報を前記ディスプレイに表示する請求項１から３のいずれかに記載の生体情報検出センサ無線システム。
【請求項５】
少なくとも１つの生体情報検出センサと、情報処理装置と、を備えた生体情報検出センサ無線システムにおいて、
前記生体情報検出センサは、
第１ソフトウェアが記憶された記憶部と、
加速度センサと、
前記加速度センサが検出した加速度と自センサのセンサ識別情報とを対応づけて、前記情報処理装置に送信する第１送信部と、
前記情報処理装置が送信する、前記第１ソフトウェアをバージョンアップするための第２ソフトウェアを受信する第１受信部と、
前記第１受信部が受信した前記第２ソフトウェアに基づいて、前記第１ソフトウェアをバージョンアップする更新部と、を備え、
前記情報処理装置は、
前記生体情報検出センサが送信する前記加速度と前記センサ識別情報とを受信する第２受信部と、
ディスプレイと、
前記第２受信部が受信した前記センサ識別情報を前記ディスプレイに表示する表示制御部と、
前記ディスプレイに表示された前記センサ識別情報を選択させる選択部と、
前記選択部によって選択されたセンサ識別情報を有する生体情報検出センサに対して前記第２ソフトウェアを送信する第２送信部と、を備え、
前記表示制御部は、前記第２受信部が受信した前記加速度が閾値を上回ったか否かに応じて、前記ディスプレイの表示態様を制御する生体情報検出センサ無線システム。
【請求項６】
第１ソフトウェアが記憶された記憶部と、加速度センサと、を備えた生体情報検出センサが、前記加速度センサが検出した加速度が閾値を上回ったか否かを示すフラグ情報と自センサのセンサ識別情報とを送信し、
ディスプレイを備えた情報処理装置が、前記生体情報検出センサが送信する前記フラグ情報と前記センサ識別情報とを受信し、受信した前記センサ識別情報を前記ディスプレイに表示し、受信した前記フラグ情報に応じて、前記ディスプレイの表示態様を制御し、前記ディスプレイに表示された前記センサ識別情報を選択させ、選択されたセンサ識別情報を有する生体情報検出センサに対して前記第１ソフトウェアをバージョンアップするための第２ソフトウェアを送信し、
前記生体情報検出センサが、前記情報処理装置が送信する前記第２ソフトウェアを受信し、受信した前記第２ソフトウェアに基づいて、前記第１ソフトウェアをバージョンアップする生体情報検出センサ無線方法。
【請求項７】
第１ソフトウェアが記憶された記憶部と、
加速度センサと、
前記加速度センサが検出した加速度が閾値を上回ったか否かを示すフラグ情報と自センサのセンサ識別情報とを送信する第１送信部と、
外部装置が送信する、前記第１ソフトウェアをバージョンアップするための第２ソフトウェアを受信する第１受信部と、
前記第１受信部が受信した前記第２ソフトウェアに基づいて、前記第１ソフトウェアをバージョンアップする更新部と、を備える生体情報検出センサ。
【発明の詳細な説明】
【技術分野】
【０００１】
本発明は、生体情報検出センサ無線システム、生体情報検出センサ無線方法、及び、生体情報検出センサに関する。
【背景技術】
【０００２】
従来、医療機器の分野においては、無線通信部を備えた生体情報検出センサ（医療用テレメータ）が知られている（例えば、特許文献１参照）。
【０００３】
このような生体情報検出センサにおいては、当該生体情報検出センサにインストールされた第１ソフトウェア（例えば、ファームウェア）を、無線通信部を介して外部装置から受信した第２ソフトウェアでバージョンアップすること（生体情報検出センサのアップグレード）が考えられる。
【先行技術文献】
【特許文献】
【０００４】
【特許文献１】特開２０１４−６８７１８号公報
【発明の概要】
【発明が解決しようとする課題】
【０００５】
しかしながら、生体情報検出センサにおいては、小型化や省電力等の観点からＬＥＤ等の表示部が省略されることがあり、この場合、例えば、複数の生体情報検出センサを順番にアップグレードしようとすると、どの生体情報検出センサがアップグレードの対象となっているのかを視覚的に識別するのが難しい（その結果、アップグレード予定の生体情報検出センサをアップグレードできず、例えば、意図しない生体情報検出センサがアップグレードされてしまう）という課題がある。
【０００６】
本発明は、上記事情に鑑みてなされたものであり、ＬＥＤ等の表示部が省略された生体情報検出センサを無線でアップグレードしようとする場合、どの生体情報検出センサがアップグレードの対象となっているのかを視覚的に識別することができる生体情報検出センサ無線システム、生体情報検出センサ無線方法、及び、生体情報検出センサを提供することを目的とする。
【課題を解決するための手段】
【０００７】
上記目的を達成するために、本発明の一つの側面は、少なくとも１つの生体情報検出センサと、情報処理装置と、を備えた生体情報検出センサ無線システムにおいて、前記生体情報検出センサは、第１ソフトウェアが記憶された記憶部と、加速度センサと、前記加速度センサが検出した加速度が閾値を上回ったか否かを示すフラグ情報と自センサのセンサ識別情報とを対応づけて、前記情報処理装置に送信する第１送信部と、前記情報処理装置が送信する、前記第１ソフトウェアをバージョンアップするための第２ソフトウェアを受信する第１受信部と、前記第１受信部が受信した前記第２ソフトウェアに基づいて、前記第１ソフトウェアをバージョンアップする更新部と、を備え、前記情報処理装置は、前記生体情報検出センサが送信する前記フラグ情報と前記センサ識別情報とを受信する第２受信部と、ディスプレイと、前記第２受信部が受信した前記センサ識別情報を前記ディスプレイに表示する表示制御部と、前記ディスプレイに表示された前記センサ識別情報を選択させる選択部と、前記選択部によって選択されたセンサ識別情報を有する生体情報検出センサに対して前記第２ソフトウェアを送信する第２送信部と、を備え、前記表示制御部は、前記第２受信部が受信した前記フラグ情報に応じて、前記ディスプレイの表示態様を制御することを特徴とする。
【０００８】
この側面によれば、ＬＥＤ等の表示部が省略された生体情報検出センサを無線でアップグレードしようとする場合、どの生体情報検出センサがアップグレードの対象となっているのかを視覚的に識別することができる生体情報検出センサ無線システムを提供することができる。
【０００９】
これは、表示制御部が、第２受信部が受信したフラグ情報に応じて、ディスプレイ（例えば、センサ識別情報）の表示態様を制御することによるものである。
【図面の簡単な説明】
【００１０】
【図１】医用テレメータシステム１０の概略構成図である。
【図２】（ａ）生体情報検出センサ２０の概略ハード構成図、（ｂ）受信機３０の概略ハード構成図である。
【図３】医用テレメータシステム１０の動作を説明するためのシーケンス図である。
【図４】センサ識別情報表示処理を説明するためのフローチャートである。
【図５】ディスプレイ３１の表示例である。
【図６】医用テレメータシステム１０の動作（変形例）を説明するためのシーケンス図である。
【図７】センサ識別情報表示処理（変形例）を説明するためのフローチャートである。
【発明を実施するための形態】
【００１１】
以下、本発明の一実施形態である医用テレメータシステム１０について添付図面を参照しながら説明する。各図において対応する構成要素には同一の符号が付され、重複する説明は省略される。
【００１２】
［医用テレメータシステム１０の概要］
図１は、医用テレメータシステム１０の概略構成図である。
【００１３】
図１に示すように、生体情報検出センサ無線システム（以下、医用テレメータシステム１０という）は、複数の生体情報検出センサ２０１〜２０ｎ、及び、情報処理装置（以下、受信機３０という）等を備える。以下、生体情報検出センサ２０１〜２０ｎを特に区別しない場合、生体情報検出センサ２０と記載する。
【００１４】
［生体情報検出センサ］
次に、生体情報検出センサ２０について説明する。図２（ａ）は、生体情報検出センサ２０の概略ハード構成図である。
【００１５】
生体情報検出センサ２０は、生体（以下、患者という）に貼り付けられたパッド（図示せず）に装着されて当該患者の生体情報（例えば、心電図）の測定を行い、測定した生体情報を無線通信部２６を介して受信機３０等に送信する。
【００１６】
図２（ａ）に示すように、生体情報検出センサ２０は、生体情報検出部２１と、センサ入力部２２と、記憶部２３と、加速度センサ２４と、制御部２５と、無線通信部２６と、を備える。
【００１７】
生体情報検出部２１は、患者の生体情報（又は生体信号）を検出する。生体情報検出部２１は、例えば、患者の心電図を検出する３リード電極（Ｒ、Ｌ、Ｆ）である。
【００１８】
センサ入力部２２は、生体情報検出部２１が検出した患者の生体情報を増幅、Ａ／Ｄ変換等して制御部２５に入力する。
【００１９】
記憶部２３は、例えば、フラッシュＲＯＭ等の読み書き可能な不揮発性メモリである。記憶部２３には、自センサのセンサ識別情報２３ａ、ファームウェア（以下、第１ソフトウェア２３ｂという）、第１ソフトウェア２３ｂのバージョン情報２３ｃ等が予め記憶されている。また、記憶部２３には、加速度センサ２４が検出した加速度が閾値を上回ったか否かを示すフラグ情報（以下、検知フラグ２３ｄという）が記憶されている。検知フラグ２３ｄには、加速度センサ２４が検出した加速度が閾値を上回っていないことを表す情報（例えば、０）又は加速度センサ２４が検出した加速度が閾値を上回ったことを表す情報（例えば、１）が設定（記憶）される。
【００２０】
加速度センサ２４は、例えば、３軸の加速度センサ（ＭＥＭＳセンサ）である。加速度センサ２４が検出した加速度（加速度データ）は、制御部２５に入力される。
【００２１】
制御部２５は、ＣＰＵやＲＡＭを含む。生体情報検出センサ２０のＣＰＵは、記憶部２３に記憶された第１ソフトウェア２３ｂを実行することで、加速度センサ２４が検出した加速度が閾値を上回ったか否かを判定する判定部２５ａ、無線通信部２６が受信した第２ソフトウェア３３ｂに基づいて、第１ソフトウェア２３ｂをバージョンアップする更新部２５ｂ等として機能する。また、生体情報検出センサ２０のＣＰＵは、記憶部２３に記憶された第１ソフトウェア２３ｂを実行することで、無線通信部２６等を制御する。例えば、生体情報検出部２１が検出（測定）した生体情報を無線通信部２６を介して受信機３０に送信する。
【００２２】
無線通信部２６は、例えば、ＢＬＥ（Bluetooth Low Energy）技術に対応できる通信モジュール（例えば、ＢＬＥモジュール）であり、アンテナ２６ａを介して、近距離（例えば１００ｍｍ）内の他のＢＬＥ対応デバイス（例えば、受信機３０）と無線通信する。無線通信部２６が本発明の第１送信部、第１受信部に相当する。なお、生体情報検出センサ２０は、ペリフェラル（スレーブともいう）として機能する。
【００２３】
［受信機］
次に、受信機３０について説明する。図２（ｂ）は、受信機３０の概略ハード構成図である。
【００２４】
受信機３０は、例えば、スマートフォンであり、図２（ｂ）に示すように、ディスプレイ３１と、表示制御部３２と、記憶部３３と、制御部３４と、無線通信部３５と、を備える。
【００２５】
ディスプレイ３１は、例えば、タッチパネル付き液晶ディスプレイである。
【００２６】
表示制御部３２は、制御部３４からの制御に従ってディスプレイ３１に、例えば、センサ識別情報２３ａ及びバージョン情報２３ｃ（図５参照）を表示する。作業者（例えば、医療従事者）は、タッチパネルを介してタップすることで、アップグレードする生体情報検出センサ２０（センサ識別情報２３ａ）を選択する。タッチパネルが本発明の選択部に相当する。
【００２７】
記憶部３３は、例えば、フラッシュＲＯＭ等の読み書き可能な不揮発性メモリである。記憶部３３には、アップグレードアプリ３３ａ、第１ソフトウェア２３ｂをバージョンアップするための第２ソフトウェア３３ｂ等が予め記憶されている。第２ソフトウェア３３ｂは、例えば、第１ソフトウェア２３ｂの不具合を解消したり、機能アップしたファームウェアである。
【００２８】
制御部３４は、ＣＰＵやＲＯＭを含む。受信機３０のＣＰＵは、記憶部３３に記憶されたアップグレードアプリ３３ａを実行することで、表示制御部３２や無線通信部３５等を制御する。
【００２９】
無線通信部３５は、例えば、ＢＬＥ（Bluetooth Low Energy）技術に対応できる通信モジュール（例えば、ＢＬＥモジュール）であり、アンテナ３５ａを介して、近距離（例えば１００ｍｍ）内の他のＢＬＥ対応デバイス（例えば、生体情報検出センサ２０）と無線通信する。無線通信部３５が本発明の第２受信部、第２送信部に相当する。なお、受信機４０は、セントラル（マスタともいう）として機能する。
【００３０】
［医用テレメータシステム１０の動作例］
次に、上記構成の医用テレメータシステム１０の動作例について説明する。図３は、医用テレメータシステム１０の動作を説明するためのシーケンス図である。
【００３１】
以下の受信機３０の処理は、主に、受信機３０のＣＰＵが記憶部３３からＲＡＭに読み込まれたアップグレードアプリ３３ａを実行することで実現される。また、以下の生体情報検出センサ２０の処理は、主に、生体情報検出センサ２０のＣＰＵが記憶部２３からＲＡＭに読み込まれた第１ソフトウェア２３ｂを実行することで実現される。
【００３２】
受信機３０は、周囲に存在する生体情報検出センサ２０が送信したセンサ識別情報２３ａ及びバージョン情報２３ｃを受信し、受信したセンサ識別情報２３ａ及びバージョン情報２３ｃを、ディスプレイ３１に表示する（ステップＳ１０）。
【００３３】
例えば、受信機３０（表示制御部３２）は、周囲に存在する生体情報検出センサ２０１が送信したセンサ識別情報２３ａ１及びバージョン情報２３ｃ１、並びに、生体情報検出センサ２０２が送信したセンサ識別情報２３ａ２及びバージョン情報２３ｃ２を無線通信部３５が受信した場合、図５（ａ）に示すように、受信したセンサ識別情報２３ａ１及びバージョン情報２３ｃ１、並びに、センサ識別情報２３ａ２及びバージョン情報２３ｃ２を、ディスプレイ３１にリスト形式で表示する。
【００３４】
次に、生体情報検出センサ２０の電源スイッチ（図示せず）をＯＮすると（ステップＳ１２）、生体情報検出センサ２０のＣＰＵは、当該生体情報検出センサ２０の記憶部２３に記憶された検知フラグ２３ｄに、加速度センサ２４が検出した加速度が閾値を上回っていないことを表す情報として「０」を設定する（ステップＳ１４）。
【００３５】
例えば、生体情報検出センサ２０３の電源スイッチ（図示せず）をＯＮした場合、生体情報検出センサ２０３のＣＰＵは、当該生体情報検出センサ２０３の記憶部２３に記憶された検知フラグ２３ｄに、加速度センサ２４が検出した加速度が閾値を上回っていないことを表す情報として「０」を設定する。
【００３６】
次に、生体情報検出センサ２０３のＣＰＵは、当該生体情報検出センサ２０３の記憶部２３から検知フラグ２３ｄとセンサ識別情報２３ａ３とバージョン情報２３ｃ３とを読み出し、これらを対応づけて、予め定められた時間間隔で無線通信部３５を介して受信機３０に送信（アドバタイジング）する（ステップＳ１６）。
【００３７】
次に、受信機３０のＣＰＵは、検知フラグ２３ｄとセンサ識別情報２３ａ３とバージョン情報２３ｃ３とを無線通信部３５が受信した場合（ステップＳ１８）、センサ識別情報表示処理を実行する（ステップＳ２０）。
【００３８】
次に、センサ識別情報表示処理について説明する。図４は、センサ識別情報表示処理を説明するためのフローチャートである。
【００３９】
具体的には、まず、図４に示すように、受信機３０のＣＰＵは、ステップＳ１８で受信した検知フラグ２３ｄに「１」が設定されているか否かを判定する（ステップＳ２００２）。
【００４０】
ここでは、ステップＳ１８で受信した検知フラグ２３ｄに「０」が設定されているため（ステップＳ２００２：Ｎｏ）、図５（ｂ）に示すように、受信機３０（表示制御部３２）は、ステップＳ１８で受信した検知フラグ２３ｄが対応づけられたセンサ識別情報２３ａ３及びバージョン情報２３ｃ３を、第１表示態様でディスプレイ３１に表示する（ステップＳ２００４）。
【００４１】
第１表示態様は、他のセンサ識別情報２３ａ及びバージョン情報２３ｃ（ここでは、センサ識別情報２３ａ１及びバージョン情報２３ｃ１、並びに、センサ識別情報２３ａ２及びバージョン情報２３ｃ２）と同じ表示態様である。例えば、第１表示態様は、他のセンサ識別情報２３ａ及びバージョン情報２３ｃ（ここでは、センサ識別情報２３ａ１及びバージョン情報２３ｃ１、並びに、センサ識別情報２３ａ２及びバージョン情報２３ｃ２）と同じ色、同じフォント、同じサイズで表示する態様である。
【００４２】
以上のように、受信機３０（表示制御部３２）は、受信した検知フラグ２３ｄ（の設定内容）に応じて、ディスプレイ３１の表示態様を制御する。具体的には、受信機３０（表示制御部３２）は、受信した検知フラグ２３ｄ（の設定内容）が、加速度が閾値を上回ったことを示さない場合（すなわち、検知フラグ２３ｄ＝０の場合）、第１表示態様となるようにセンサ識別情報２３ａ３及びバージョン情報２３ｃ３の表示態様を制御する。
【００４３】
次に、図３に戻り、生体情報検出センサ２０のＣＰＵ（判定部２５ａ）は、加速度センサ２４が検出した加速度が閾値を上回ったか否かを判定する（ステップＳ２２）。
【００４４】
例えば、作業者が生体情報検出センサ２０３を揺すったことで、加速度センサ２４が検出した加速度が閾値を上回った場合、生体情報検出センサ２０３のＣＰＵ（判定部２５ａ）は、加速度センサ２４が検出した加速度が閾値を上回ったと判定し（ステップＳ２２：Ｙｅｓ）、検知フラグ２３ｄに、加速度センサ２４が検出した加速度が閾値を上回ったことを表す情報として「１」を設定する（ステップＳ２４）。
【００４５】
次に、生体情報検出センサ２０３のＣＰＵは、当該生体情報検出センサ２０３の記憶部２３から検知フラグ２３ｄとセンサ識別情報２３ａ３とバージョン情報２３ｃ３とを読み出し、これらを対応づけて、無線通信部２６を介して受信機３０に送信（アドバタイジング）する（ステップＳ２６）。
【００４６】
次に、受信機３０のＣＰＵは、検知フラグ２３ｄとセンサ識別情報２３ａ３とバージョン情報２３ｃ３とを無線通信部３５が受信した場合（ステップＳ２８）、センサ識別情報表示処理を実行する（ステップＳ２０）。
【００４７】
具体的には、まず、図４に示すように、受信機３０のＣＰＵは、ステップＳ２８で受信した検知フラグ２３ｄに「１」が設定されているか否かを判定する（ステップＳ２００２）。
【００４８】
ここでは、ステップＳ２８で受信した検知フラグ２３ｄに「１」が設定されているため（ステップＳ２００２：Ｙｅｓ）、図５（ｃ）に示すように、受信機３０（表示制御部３２）は、ステップＳ２８で受信した検知フラグ２３ｄが対応づけられたセンサ識別情報２３ａ３及びバージョン情報２３ｃ３を、第２表示態様でディスプレイ３１に表示する（ステップＳ２００６）。
【００４９】
第２表示態様は、他のセンサ識別情報２３ａ及びバージョン情報２３ｃ（ここでは、センサ識別情報２３ａ１及びバージョン情報２３ｃ１、並びに、センサ識別情報２３ａ２及びバージョン情報２３ｃ２）と異なる表示態様である。例えば、第２表示態様は、図５（ｃ）に示すように、ステップＳ２８で受信した検知フラグ２３ｄが対応づけられたセンサ識別情報２３ａ３及びバージョン情報２３ｃ３を反転表示する表示態様である。第２表示態様が本発明の所定の表示態様に相当する。このように、第２表示態様は、受信した検知フラグ２３ｄが対応づけられたセンサ識別情報２３ａ３及びバージョン情報２３ｃ３と他のセンサ識別情報２３ａ及びバージョン情報２３ｃ（ここでは、センサ識別情報２３ａ１及びバージョン情報２３ｃ１、並びに、センサ識別情報２３ａ２及びバージョン情報２３ｃ２）とを識別できるように表示する態様である。
【００５０】
なお、第２表示態様は、ステップＳ２８で受信した検知フラグ２３ｄが対応づけられたセンサ識別情報２３ａ３及びバージョン情報２３ｃ３を、点滅表示する態様であってもよいし、他のセンサ識別情報２３ａ及びバージョン情報２３ｃ（ここでは、センサ識別情報２３ａ１及びバージョン情報２３ｃ１、並びに、センサ識別情報２３ａ２及びバージョン情報２３ｃ２）と異なる色、異なるフォント又は異なるサイズで表示する態様であってもよい。また、第２表示態様は、ステップＳ２８で受信した検知フラグ２３ｄが対応づけられたセンサ識別情報２３ａ３及びバージョン情報２３ｃ３を、枠で囲った状態で表示する態様であってもよいし、アンダーラインを引いた状態で表示する態様であってもよいし、その他の態様であってもよい。
【００５１】
作業者は、第２表示態様でディスプレイ３１に表示されたセンサ識別情報２３ａ３及びバージョン情報２３ｃ３（図５（ｃ）参照）を視認することで、揺すった生体情報検出センサ２０３がアップグレードの対象となっていることを視覚的に識別することができる。すなわち、作業者は、第２表示態様でディスプレイ３１に表示されたセンサ識別情報２３ａ３及びバージョン情報２３ｃ３（図５（ｃ）参照）を視認することで、アップグレードの対象となっている生体情報検出センサ２０３がどこに存在しているかを容易に特定することができる。
【００５２】
以上のように、受信機３０（表示制御部３２）は、受信した検知フラグ２３ｄ（の設定内容）に応じて、ディスプレイ３１の表示態様を制御する。具体的には、受信機３０（表示制御部３２）は、受信した検知フラグ２３ｄ（の設定内容）が、加速度が閾値を上回ったことを示す場合（すなわち、検知フラグ２３ｄ＝１の場合）、第２表示態様となるようにセンサ識別情報２３ａ３及びバージョン情報２３ｃ３の表示態様を制御する。
【００５３】
次に、作業者は、ディスプレイ３１に表示されたセンサ識別情報のうち、アップグレードする生体情報検出センサ（センサ識別情報）を選択する。具体的には、作業者は、タッチパネルを介してタップすることで、アップグレードする生体情報検出センサ（センサ識別情報）を選択する。ここでは、作業者は、ディスプレイ３１に表示されたセンサ識別情報のうち、アップグレードする生体情報検出センサ（センサ識別情報）として、図５（ｃ）に示すように反転表示されたセンサ識別情報２３ａ３を選択したものとする。
【００５４】
センサ識別情報２３ａ３が選択されると（ステップＳ３２：Ｙｅｓ）、受信機３０のＣＰＵは、選択されたセンサ識別情報２３ａ３を有する生体情報検出センサ２０３との間にコネクションを確立し、記憶部３３から第２ソフトウェア３３ｂを読み出し、読み出した第２ソフトウェア３３ｂを無線通信部３５を介して、選択されたセンサ識別情報２３ａ３を有する生体情報検出センサ２０３に送信する（ステップＳ３４）。
【００５５】
次に、生体情報検出センサ２０３のＣＰＵは、第２ソフトウェア３３ｂを無線通信部２６が受信した場合（ステップＳ３６）、受信した第２ソフトウェア３３ｂに基づいて、第１ソフトウェア２３ｂをバージョンアップ（更新）する（ステップＳ３８）。
【００５６】
次に、生体情報検出センサ２０３のＣＰＵは、バージョンアップの状況を表すバージョンアップ状況データを、無線通信部２６を介して受信機３０に送信する（ステップＳ４０）。
【００５７】
受信機３０は、バージョンアップ状況データを無線通信部３５が受信した場合（ステップＳ４２）、バージョンアップ状況を、例えば、バーグラフの形態でディスプレイ３１に表示する（ステップＳ４４）。
【００５８】
以上のようにして、生体情報検出センサ２０３をアップグレードすることができる。なお、他の生体情報検出センサ２０１、２０２〜２０ｎについても同様にしてアップグレードすることができる。
【００５９】
以上説明したように、本実施形態によれば、ＬＥＤ等の表示部が省略された生体情報検出センサ２０を無線でアップグレードしようとする場合、どの生体情報検出センサ２０がアップグレードの対象となっているのかを視覚的に識別することができる医用テレメータシステム１０を提供することができる。
【００６０】
これは、表示制御部３２が、受信した検知フラグ２３ｄ（の設定内容）に応じて、ディスプレイ３１（例えば、センサ識別情報）の表示態様を制御することによるものである。
【００６１】
具体的には、表示制御部３２は、受信した検知フラグ２３ｄ（の設定内容）が、加速度が閾値を上回ったことを示さない場合（すなわち、検知フラグ２３ｄ＝０の場合）、第１表示態様となるようにセンサ識別情報２３ａ３及びバージョン情報２３ｃ３の表示態様を制御し、一方、受信した検知フラグ２３ｄ（の設定内容）が、加速度が閾値を上回ったことを示す場合（すなわち、検知フラグ２３ｄ＝１の場合）、第２表示態様となるようにセンサ識別情報２３ａ３及びバージョン情報２３ｃ３の表示態様を制御することによるものである。
【００６２】
次に、変形例について説明する。
【００６３】
上記実施形態では、生体情報検出センサ２０として、心電図を検出する生体情報検出センサを用いた例について説明したが、これに限らない。例えば、生体情報検出センサ２０として、ＮＩＢＰを検出する生体情報検出センサ、体温（ＴＥＭＰ）を検出する生体情報検出センサ、ＳｐＯ２（動脈血酸素飽和度）を検出する生体情報検出センサ等、他の生体情報検出センサを用いてもよい。
【００６４】
また、上記実施形態では、無線通信部２６、３５として、ＢＬＥ（Bluetooth Low Energy）技術に対応できる通信モジュール（例えば、ＢＬＥモジュール）を用いた例について説明したが、これに限らない。例えば、無線通信部２６、３５として、無線ＬＡＮ技術に対応できる通信モジュール（例えば、無線ＬＡＮモジュール）を用いてもよい。
【００６５】
また、上記実施形態では、受信機３０のＣＰＵは、記憶部３３から読み出した第２ソフトウェア３３ｂを生体情報検出センサ２０３に送信する（ステップＳ２４）ように説明したが、これに限らない。例えば、受信機３０のＣＰＵは、外部サーバーにアクセスして、当該外部サーバーから第２ソフトウェア３３ｂを取得し、取得した第２ソフトウェア３３ｂを、生体情報検出センサ２０３に送信するようにしてもよい。
【００６６】
また、上記実施形態では、生体情報検出センサ２０が検知フラグ２３ｄとセンサ識別情報２３ａ３とバージョン情報２３ｃ３とを送信し、検知フラグ２３ｄとセンサ識別情報２３ａ３とバージョン情報２３ｃ３とを無線通信部３５が受信した場合、受信機３０は、受信したセンサ識別情報２３ａ３及びバージョン情報２３ｃ３をディスプレイ３１に表示する例について説明したが、これに限らない。
【００６７】
例えば、バージョン情報２３ｃ３を省略してもよい。すなわち、生体情報検出センサ２０が検知フラグ２３ｄとセンサ識別情報２３ａ３とを送信し、検知フラグ２３ｄとセンサ識別情報２３ａ３とを無線通信部３５が受信した場合、受信機３０は、受信したセンサ識別情報２３ａ３をディスプレイ３１に表示してもよい。
【００６８】
また、上記実施形態では、加速度センサ２４が検出した加速度が閾値を上回ったか否かを判定する処理を、生体情報検出センサ２０が実行する例について説明したが、これに限らない。例えば、加速度センサ２４が検出した加速度が閾値を上回ったか否かを判定する処理を、受信機３０が実行してもよい。
【００６９】
以下、医用テレメータシステム１０の動作（変形例）として、加速度センサ２４が検出した加速度が閾値を上回ったか否かを判定する処理を、受信機３０が実行する例について説明する。図６は、医用テレメータシステム１０の動作（変形例）を説明するためのシーケンス図である。図６は、図３に示すフローチャート中のステップＳ１４、Ｓ２２〜Ｓ２８を削除し、「検知フラグ、センサ識別情報及びバージョン情報を送信(アドバタイズで送信)」するステップＳ１６を、「加速度センサが検出した加速度、センサ識別情報及びバージョン情報を送信(アドバタイズで送信)」するステップＳ１６Ａに置き換え、ステップＳ２０をステップＳ２０Ａに置き換えたものに相当する。それ以外、図３に示すフローチャートと同様である。
【００７０】
図６に示すように、受信機３０は、周囲に存在する生体情報検出センサ２０が送信したセンサ識別情報２３ａ及びバージョン情報２３ｃを受信し、受信したセンサ識別情報２３ａ及びバージョン情報２３ｃを、ディスプレイ３１に表示する（ステップＳ１０）。
【００７１】
例えば、受信機３０（表示制御部３２）は、周囲に存在する生体情報検出センサ２０１が送信したセンサ識別情報２３ａ１及びバージョン情報２３ｃ１、並びに、生体情報検出センサ２０２が送信したセンサ識別情報２３ａ２及びバージョン情報２３ｃ２を無線通信部３５が受信した場合、図５（ａ）に示すように、受信したセンサ識別情報２３ａ１及びバージョン情報２３ｃ１、並びに、センサ識別情報２３ａ２及びバージョン情報２３ｃ２を、ディスプレイ３１にリスト形式で表示する。
【００７２】
次に、生体情報検出センサ２０の電源スイッチ（図示せず）をＯＮすると（ステップＳ１２）、生体情報検出センサ２０３のＣＰＵは、当該生体情報検出センサ２０３の記憶部２３からセンサ識別情報２３ａ３とバージョン情報２３ｃ３とを読み出し、加速度センサ２４が検出した加速度と読み出したセンサ識別情報２３ａ３とバージョン情報２３ｃ３とを対応づけて、予め定められた時間間隔で無線通信部２６を介して受信機３０に送信（アドバタイジング）する（ステップＳ１６Ａ）。
【００７３】
次に、受信機３０のＣＰＵは、加速度センサ２４が検出した加速度とセンサ識別情報２３ａ３とバージョン情報２３ｃ３とを無線通信部３５が受信した場合（ステップＳ１８）、センサ識別情報表示処理を実行する（ステップＳ２０Ａ）。
【００７４】
次に、センサ識別情報表示処理（変形例）を説明する。図７は、センサ識別情報表示処理（変形例）を説明するためのフローチャートである。図７は、図４に示すフローチャート中の「受信した検知フラグ＝１？」のステップＳ２００２を、「受信した加速度が閾値を上回った？」のステップＳ２００２Ａに置き換えたものに相当する。それ以外、図４に示すフローチャートと同様である。
【００７５】
具体的には、まず、図７に示すように、受信機３０のＣＰＵは、ステップＳ１８で受信した加速度が閾値を上回ったか否かを判定する（ステップＳ２００２Ａ）。
【００７６】
ステップＳ１８で受信した加速度が閾値を上回っていない場合（ステップＳ２００２Ａ：Ｎｏ）、図５（ｂ）に示すように、受信機３０の表示制御部３２は、ステップＳ１８で受信した加速度が対応づけられたセンサ識別情報２３ａ３及びバージョン情報２３ｃ３を、第１表示態様でディスプレイ３１に表示する（ステップＳ２００４）。
【００７７】
一方、ステップＳ１８で受信した加速度が閾値を上回った場合（ステップＳ２００２Ａ：Ｙｅｓ）、図５（ｃ）に示すように、受信機３０の表示制御部３２は、ステップＳ１８で受信した加速度が対応づけられたセンサ識別情報２３ａ３及びバージョン情報２３ｃ３を、第２表示態様でディスプレイ３１に表示する（ステップＳ２００６）。
【００７８】
以上のように、受信機３０（表示制御部３２）は、受信した加速度が閾値を上回ったか否かに応じて、ディスプレイ３１の表示態様を制御する。具体的には、受信機３０（表示制御部３２）は、受信した加速度が閾値を上回っていない場合、第１表示態様となるようにセンサ識別情報２３ａ３及びバージョン情報２３ｃ３の表示態様を制御する。一方、受信機３０（表示制御部３２）は、受信した加速度が閾値を上回った場合、第２表示態様となるようにセンサ識別情報２３ａ３及びバージョン情報２３ｃ３の表示態様を制御する。
【００７９】
作業者は、第２表示態様でディスプレイ３１に表示されたセンサ識別情報２３ａ３及びバージョン情報２３ｃ３（図５（ｃ）参照）を視認することで、揺すった生体情報検出センサ２０３がアップグレードの対象となっていることを視覚的に識別することができる。すなわち、作業者は、第２表示態様でディスプレイ３１に表示されたセンサ識別情報２３ａ３及びバージョン情報２３ｃ３（図５（ｃ）参照）を視認することで、アップグレードの対象となっている生体情報検出センサ２０３がどこに存在しているかを容易に特定することができる。
【００８０】
以下、図６に戻り、図３と同様、ステップＳ３２〜Ｓ４４に示す処理が実行される。
【００８１】
以上のようにして、生体情報検出センサ２０３をアップグレードすることができる。なお、他の生体情報検出センサ２０１、２０２〜２０ｎについても同様にしてアップグレードすることができる。
【００８２】
本変形例によっても、上記実施形態と同様の効果を奏することができる。
【００８３】
上記実施形態で示した各数値は全て例示であり、これと異なる適宜の数値を用いることができるのは無論である。
【００８４】
上記実施形態はあらゆる点で単なる例示にすぎない。上記実施形態の記載によって本発明は限定的に解釈されるものではない。本発明はその精神または主要な特徴から逸脱することなく他の様々な形で実施することができる。
【符号の説明】
【００８５】
１０…医用テレメータシステム、２０（２０１、２０２、２０３）…生体情報検出センサ、２１…生体情報検出部、２２…センサ入力部、２３…記憶部、２３ａ（２３ａ１、２３ａ２、２３ａ３）…センサ識別情報、２３ｂ…第１ソフトウェア、２３ｃ（２３ｃ１、２３ｃ２、２３ｃ３）…バージョン情報、２３ｄ…検知フラグ、２４…加速度センサ、２５…制御部、２５ａ…判定部、２５ｂ…更新部、２６…無線通信部、２６ａ…アンテナ、３０…受信機、３１…ディスプレイ、３２…表示制御部、３３…記憶部、３３ａ…アップグレードアプリ、３３ｂ…第２ソフトウェア、３４…制御部、３５…無線通信部、３５ａ…アンテナ
【図１】
2019016084.tif 000003
【図２】
2019016084.tif 000004
【図３】
2019016084.tif 000005
【図４】
2019016084.tif 000006
【図５】
2019016084.tif 000007
【図６】
2019016084.tif 000008
【図７】
2019016084.tif 000009